(57)【特許請求の範囲】
【請求項１】
外側に突出する注出部を備え、前記注出部が下になるように傾斜されることで内容物が注出されるパウチに装着されるパウチ用アタッチメントであって、
前記アタッチメントは、前記パウチに取付可能な装着部と、前記パウチの注出部の封止及び解除を行う封止部と、前記パウチの収納部における、前記注出部の自己閉塞が解除される押圧ポイントを押圧しうる押圧部と、を備え、
前記封止部は、前記押圧部の押圧時に前記注出部の封止を解除し、押圧解除時に前記注出部を封止するパウチ用アタッチメント。
【請求項２】
外側に突出する注出部を備え、前記注出部が下になるように傾斜されることで内容物が注出されるパウチに装着されるパウチ用アタッチメントであって、
前記アタッチメントは、前記パウチに取付可能な装着部と、前記パウチの注出部の封止及び解除を行う封止部と、前記パウチの収納部における、前記注出部の自己閉塞が解除される押圧ポイントを押圧しうる押圧部と、一対の壁板と、該壁板の一方に揺動可能に軸支された揺動アームと、を備え、
前記揺動アームは、前記封止部を構成する他方の壁板の内面側に揺動する揺動封止部と、前記押圧部を構成する前記他方の壁板の内面側に揺動する揺動押圧部と、からなり、
前記揺動封止部は、前記揺動押圧部の押圧時に前記注出部の封止を解除し、押圧解除時に前記注出部を封止するパウチ用アタッチメント。
【請求項３】
前記アタッチメントは、前記揺動アームの揺動押圧部に摺動するガイドアーム部を有する請求項２に記載のパウチ用アタッチメント。
【請求項４】
外側に突出する注出部を備え、前記注出部が下になるように傾斜されることで内容物が注出されるパウチに装着されるパウチ用アタッチメントであって、
前記アタッチメントは、前記パウチに取付可能な装着部と、前記パウチの注出部の封止及び解除を行う封止部と、前記パウチの収納部における、前記注出部の自己閉塞が解除される押圧ポイントを押圧しうる押圧部と、を備え、
前記封止部が、一対のアーム部の封止アームと、その先端部に設けられた封止板によって構成され、前記押圧部が、一対のアーム部の押圧アームと、その先端部に設けられた押圧板で構成されており、
前記封止板は、前記押圧板の押圧時に前記注出部の封止を解除し、押圧解除時に前記注出部を封止するパウチ用アタッチメント。
【発明の詳細な説明】
【技術分野】
【０００１】
本発明は、洗剤やシャンプー等の日用品、調味料等の食品の内容物を注出する注出部を形成したパウチ、特に、上部隅角部に注出部が形成され、自己閉塞を生じるパウチから内容物を注出するためのパウチ用アタッチメントに関する。
【背景技術】
【０００２】
従来より、樹脂フィルムを重ね合わせ、端部をシールして成るパウチは、洗剤やシャンプー等の日用品や、調味料等の食料品等の各種用途に広く使用されている。このような袋状容器に自立性を持たせるべく、２枚の側面フィルムの間に２つ折りにした底部フィルムを介在させ、サイドシール部及びボトムシール部によりシールしたスタンディングパウチに、内容物を注出し易くするため、注出部を設けることが広く知られている。
【０００３】
そして、このようなスタンディングパウチには、通常、内容物を注出する注出部が形成され、内容物の注出時、或いは内容物を注出部から注出してボトル等の容器に詰め替える際に、開口した注出部の注出口が自己閉塞を生じ、このため、内容物の注出に時間、或いは手間を要する場合がある。
このようなスタンディングパウチの問題に対し、内容物の詰め替え中、注出口が閉じることなく、内容物を最後まで滞りなく詰め替えることができる包装袋が提案されている（特許文献１）。
【０００４】
そして、特許文献１による包装袋１は、注出口部５が下になるように傾斜した際、注出口部５付近が内容物の圧力により前後に膨らむことにより発生する稜線１６上に、該稜線１６を包装袋の内方に押圧することを表示する押圧マーク８、または包装袋自体に押圧手段を設けるものである。
【先行技術文献】
【特許文献】
【０００５】
【特許文献１】特開２００３−１３７３１８号公報
【発明の概要】
【発明が解決しようとする課題】
【０００６】
しかしながら、特許文献１の包装袋においては、前述した内容物の注出時に注出口の自己閉塞を解除し、安定的に注出するには、一方の手でパウチを把持し、他方の手の指先で押圧マーク８、または押圧手段をパウチの両側から押圧しなければならず、パウチを簡便に取り扱って内容物を注出することができない。
また、前記したように、包装袋に押圧マーク８、または押圧手段を包装袋に設けなければならず、さらに、内容物の注出時に注出口の自己閉塞を生じないパウチも提案されているが、これらのパウチの製造においては新たな製造装置を必要とし、また内容物の注出を安定的に行う手段が要望されている。
【０００７】
本発明は、このような事情に鑑みてなされたものであって、パウチ、特にスタンディングパウチ等において、パウチを簡便に取り扱って内容物を注出することができ、特に自己閉塞するパウチにあっても、取り扱いが容易なパウチ用アタッチメント、さらには、内容物の保存性をより向上させるパウチ用アタッチメントを装着したパウチを提供することを目的とする。
【課題を解決するための手段】
【０００８】
上記目的を達成するために、本発明のパウチ用アタッチメントは、外側に突出する注出部を備え、前記注出部が下になるように傾斜されることで内容物が注出されるパウチに装着されるパウチ用アタッチメントであって、前記アタッチメントは、前記パウチに取付可能な装着部と、前記パウチの注出部の封止及び解除を行う封止部と、前記パウチの収納部における、前記注出部の自己閉塞が解除される押圧ポイントを押圧しうる押圧部と、を備え、前記封止部は、前記押圧部の押圧時に前記注出部の封止を解除し、押圧解除時に前記注出部を封止するパウチ用アタッチメントが提供される。
また、上記目的を達成するために、本発明のパウチ用アタッチメントは、外側に突出する注出部を備え、前記注出部が下になるように傾斜されることで内容物が注出されるパウチに装着されるパウチ用アタッチメントであって、前記アタッチメントは、前記パウチに取付可能な装着部と、前記パウチの注出部の封止及び解除を行う封止部と、前記パウチの収納部における、前記注出部の自己閉塞が解除される押圧ポイントを押圧しうる押圧部と、一対の壁板と、該壁板の一方に揺動可能に軸支された揺動アームと、を備え、前記揺動アームは、前記封止部を構成する他方の壁板の内面側に揺動する揺動封止部と、前記押圧部を構成する前記他方の壁板の内面側に揺動する揺動押圧部と、からなり、前記揺動封止部は、前記揺動押圧部の押圧時に前記注出部の封止を解除し、押圧解除時に前記注出部を封止するパウチ用アタッチメントが提供される。該アタッチメントは、前記揺動アームの揺動押圧部に摺動するガイドアーム部を有すること、が好ましい。
さらに、上記目的を達成するために、本発明のパウチ用アタッチメントは、外側に突出する注出部を備え、前記注出部が下になるように傾斜されることで内容物が注出されるパウチに装着されるパウチ用アタッチメントであって、前記アタッチメントは、前記パウチに取付可能な装着部と、前記パウチの注出部の封止及び解除を行う封止部と、前記パウチの収納部における、前記注出部の自己閉塞が解除される押圧ポイントを押圧しうる押圧部と、を備え、前記封止部が、一対のアーム部の封止アームと、その先端部に設けられた封止板によって構成され、前記押圧部が、一対のアーム部の押圧アームと、その先端部に設けられた押圧板で構成されており、前記封止板は、前記押圧板の押圧時に前記注出部の封止を解除し、押圧解除時に前記注出部を封止するパウチ用アタッチメントが提供される。
【発明の効果】
【０００９】
本発明のパウチ用アタッチメントによれば、前記パウチに取付可能な装着部と、前記パウチの注出部の封止及び解除を行う封止部と、前記パウチの収納部における、前記注出部の自己閉塞が解除される押圧ポイントを押圧しうる押圧部と、を備え、前記封止部は、前記押圧部の押圧時に前記注出部の封止を解除し、押圧解除時に前記注出部を封止するので、パウチを簡便に取り扱って、内容物を効率良く注出し、注出後は、封止部によって注出口が封止されるため、確実な密閉性が維持でき、特に、自己閉塞を有するパウチにおいて、内容物を効率良く注出することができる。
【図面の簡単な説明】
【００１０】
【図１】本発明の第１の実施形態のパウチ用アタッチメントをパウチに装着した状態の図である。
【図２】本発明の第１の実施形態のパウチ用アタッチメントの斜視図である。
【図３】Ａは、本発明の第１の実施形態のパウチ用アタッチメントを前面から見た図、Ｂは装着部の底面図である。
【図４】本発明の第１の実施形態のパウチ用アタッチメントを背面から見た図である。
【図５】図３の矢視Ｘ方向から見た図であり、Ａは封止部が封止状態の正面図、Ｂは封止部の封止解除状態の正面図である。
【図６】図３の矢視Ｙ方向から見た図であり、Ａは封止部が封止状態の図、Ｂは封止部の封止解除状態の図である。
【図７】本発明の第２の実施形態のパウチ用アタッチメントをパウチに装着した状態の図である。
【図８】本発明の第２の実施形態のパウチ用アタッチメントの底面図である。
【図９】本発明の第３の実施形態のパウチ用アタッチメントの図である。
【図１０】本発明のパウチ用アタッチメントが適用されるパウチの側縁部の断面図である。
【発明を実施するための形態】
【００１１】
［アタッチメントの構造］
本発明の第１実施形態のパウチ用アタッチメント１は、図１に示すように、パウチ５０に取付可能な装着部２と、パウチ５０の注出部５２の封止及び解除を行う封止部３と、パウチ５０の収納部を押圧する押圧部４を備えている。また、注出部５２の自己閉塞が解除される押圧ポイントを押圧できるようになっている。
尚、本実施形態のパウチ用アタッチメント１を装着するパウチ５０は、隅角部に注出部５２を形成している。
そして、本実施形態のアタッチメント１は、図２に示すように、一対の壁板６，７を設け、壁板６，７は互いに、所定の間隔を空けて平行に対面して形成されている。また、これらの壁板６，７の下方側には装着部２が設けられ、一方、上方側に封止部３が設けられている。そして、一方の壁板７には、押圧部４を構成する舌片状の突出した外面が凹状の押圧板１３が形成されている（図４参照）。さらに、各壁板６，７には、装着部２と封止部３とを連結する連結部１７が設けられている。
これらの壁板６，７は、下方側で装着部２の装着ブロック５の背面部５ａによって連結され、上方側で壁板６，７の先端部間に設けられている連結ロッド１８によって連結されている。
【００１２】
また、装着部２の装着ブロック５は、図３（Ｂ）に示すように、パウチ５０のサイドシール部５１を装着する装着溝８が、壁板６と壁板７の間に、パウチ５０の注出部５２のサイドシール部５１に沿って延びるように形成されている。装着ブロック５の装着溝８の開口側は、溝幅を狭めた細溝９が形成されている。装着溝８の幅はパウチ５０のサイドシール部５１よりも十分に大きく形成され、細溝９の幅はパウチ５０のサイドシール部５１を狭着するように形成されている。
さらに、装着部２の装着ブロック５は、図３に示すように、軸５ｃを回動軸として回動可能な押え部材５ｂを設けている。この押え部材５ｂには、細溝９側へ突出する突出部５ｄを形成し（図７参照）、パウチ５０をアタッチメント１に装着する際に、押え部材５ｂを外側へ回動させ、パウチ５０を装着させた後、装着部２の押え部材５ｂをパウチ５０に押し付けて、パウチ５０を確実に装着させる。
【００１３】
一方の壁板６の内面には、図６に示すように、板状の揺動アーム１２が一対の軸受１５に軸支された揺動軸１４にて揺動可能に取付けられている。揺動軸１４は、押圧部４と封止部３との間に設けられ、本実施形態ではそれらのほぼ中間位置に配置されている（図３（Ａ）参照）。揺動軸１４の向きは、封止部３と押圧部４との間に直角に交差して配置され、揺動アーム１２に対しても、同様に交差して配置されている。
また、揺動アーム１２は、先端側（上方側）が封止部３を構成する揺動封止部１９、後端側が押圧部４を構成する外面が凹状の揺動押圧部２０からなり、前記揺動封止部１９と一方の壁板６の内面との間には、コイルバネ１６が配設されている。このコイルバネ１６は、壁板６の内面に形成された円形溝と揺動封止部１９に形成された円形溝からなるバネ座間（図示せず）に配設され、揺動封止部１９を壁板７の内面側に付勢する（図５（Ａ）、図６（Ａ）参照）。
【００１４】
また、封止部３は、壁板７の内面と揺動アーム１２の先端側の揺動封止部１９とによって構成され、押圧部４は、壁板７に形成した斜め下方に突出する押圧板１３と、壁板６，７の間から斜め下方に突出する揺動アーム１２の揺動押圧部２０とによって構成され、コイルバネ１６が弾性的に揺動アーム１２の揺動を可能とする。
【００１５】
アタッチメント１の押圧部４の非押圧時に、揺動アーム１２は、コイルバネ１６の付勢力によって、その先端側の揺動封止部１９が壁板７の内面側に位置して封止部３が閉じられる（図５（Ａ）、図６（Ａ）参照）。
一方、アタッチメント１の押圧部４の押圧時に、揺動アーム１２は、コイルバネ１６の付勢力に抗して揺動押圧部２０を押圧板１３側に押圧することにより、揺動封止部１９が壁板７の内面側から離れ、封止部３が開かれる（図５（Ｂ）、図６（Ｂ）参照）。なお、押圧部４が完全に接触しないように、揺動封止部１９が壁板６に当接することによって、揺動押圧部２０と押圧板１３との間に２〜３ｍｍのクリアランスを形成している。
【００１６】
［アタッチメントの装着手順］
本実施形態のアタッチメント１のパウチ５０への装着は、パウチ５０の注出部５２側のサイドシール部５１を装着部２の細溝９に合わせ、サイドシール部５１を横方向から細溝９に押し込むとパウチ５０のサイドシール部５１が狭着される。そして、アタッチメント１の揺動アーム１２の揺動押圧部２０を押圧して、揺動アームの揺動封止部１９と壁板７の内面側との間を開き、パウチ５０の注出部５２を挟み込んだ後、押圧を解除し、揺動封止部１９と壁板７の内面側で、前記パウチ５０の注出部５２を封止し、アタッチメント１のパウチ５０への装着が行われる。
【００１７】
［内容物の注出］
本実施形態におけるアタッチメント１によるパウチ５０の内容物の注出は、パウチ５０の注出部５２を下方に傾け、揺動アーム１２の揺動押圧部２０を押圧板１３側に押圧して、揺動封止部１９を壁板７内面側から離すことで、押圧部４によりパウチ５０の収納部が押圧されるとともに、封止部３が開いて注出部５２の封止が解除され、注出部５２から内容物が注出される。また、押圧部４は完全に閉じることなく、揺動押圧部２０と押圧板１３との間には２〜３ｍｍのクリアランスを形成しているので、押圧部４を押圧すると、封止部３を開くとともに内容物を押し出すことができる。
【００１８】
一方、パウチ５０の内容物の注出を終えるときは、揺動押圧部２０の押圧を解除して、揺動封止部１９を壁板７内面側に揺動することで、封止部３を閉じて注出部５２を封止し、パウチ５０の注出部５２からの注出を終了する。
このように、本実施形態のパウチ用アタッチメント１によれば、装着部２がパウチ５０に確実に保持されて位置ずれや脱落が防止され、また、封止部３、押圧部４がパウチ５０の注出部５２からの注出、注出後の密閉を容易、確実に行うことができる。
【００１９】
次に本発明の第２の実施形態のパウチ用アタッチメントについて説明する。
なお、本実施形態のパウチ用アタッチメントの説明においては、前述した第1実施形態のパウチ用アタッチメントと同一名称のものについて、同一符号を付し、その詳細な説明は省略する。
本実施形態のパウチ用アタッチメント１を装着するパウチ５０は、上端側に注出部５２、一方の側部に長孔状の把持部５３、注出部５２の一方の側部に、後述するパウチ用アタッチメント１の回動軸２７を取り付ける挿通溝５８が形成されている。
【００２０】
本実施形態におけるパウチ用アタッチメント１は、図７および８に示すように、装着部２、押圧部４及び封止部３を有し、これらの構造は、上記第１の実施形態のパウチ用アタッチメント１と同じである。本実施形態におけるパウチ用アタッチメント１は、前記揺動アーム１２の揺動押圧部２０に摺動するガイドアーム部２５を有している。前記ガイドアーム部２５は、一対のガイドアーム２８，２９を備え、一方の端部を回動軸２７により封止部３の上端部に取り付けられ、他方の端部をプッシュ板３０により連結されている。
【００２１】
また、ガイドアーム部２５のガイドアーム２８、２９に対して、一方のガイドアームの摺動方向に、揺動アーム１２の揺動押圧部２０が隣接して配置されている。この揺動押圧部２０の先端は、一方の壁板６の基準面よりも外側へ傾斜して突出しているので、プッシュ板３０を押圧してガイドアーム２８，２９を摺動させると、例えば、ガイドアーム２８の内面が揺動アーム１２の揺動押圧部２０を壁板７の押圧板１３側へ押圧する。尚、前述したガイドアーム部２５の摺動の停止は、図示しないストッパによって行われる。
【００２２】
本実施形態のパウチ用アタッチメント１のパウチ５０への装着は、ガイドアーム部２５を取り付けた回動軸２７をパウチ５０の挿通溝５８に上方から取り付け、パウチ５０と干渉することなく、ガイドアーム２８，２９がパウチ５０の上端部を跨いで配設され、前述した実施形態１のパウチ用アタッチメント１と同様にパウチ５０に装着される。
【００２３】
［注出操作］
本実施形態のパウチ用アタッチメント１によるパウチ５０の内容物の注出は、パウチ５０の注出部５２を下方に向け、プッシュ板３０を下方に押圧して、ガイドアーム２８，２９を図７に示すように下方へ摺動させる。そして、この摺動によって、ガイドアーム部２５の一方のガイドアーム、例えば、ガイドアーム２８の摺動方向側に位置する揺動アーム１２の揺動押圧部２０が、ガイドアーム２８の内面と接触し、揺動アーム１２が揺動する。この結果、揺動アーム１２の揺動押圧部２０はパウチ５０の収納部を押圧し、一方、揺動アーム１２の揺動封止部１９が壁板７の内面側から離れることによって封止部３が開き、注出部５２の封止が解除されて内容液の注出が行われる。
【００２４】
また、パウチ５０の注出部５２からの内容物の注出を終えるときは、プッシュ板３０の押圧を解除すると、ガイドアーム２８の内面が揺動アーム１２の揺動押圧板２０から離れて、揺動アーム１２が揺動することによりガイドアーム２８，２９が摺動して上昇位置に戻る。この結果、揺動アーム１２の揺動押圧部２０はパウチ５０の押圧を解除し、揺動封止部１９が壁板７内面の封止面側へ揺動し、封止部３がパウチ５０の注出部５２を封止して、内容物の注出を終了する（図８参照）。
このように、本実施形態パウチ用アタッチメント１によれば、パウチの収納部を押圧する押圧部の操作をより容易に行うことができ、注出作業の向上を図ることができる。
【００２５】
次に、本発明の第３の実施形態のパウチ用アタッチメントについて説明する。尚、本実施形態のパウチ用アタッチメントの説明においては、前述した第１、第２の実施形態のパウチ用アタッチメントと同一部分については、同一符号を付し、その詳細な説明は省略する。
本実施形態のアタッチメント１０は、図９に示すように、装着部２、押圧部４及び封止部３を有している。装着部２は、前述した第１の実施形態の装着部２と同じ構成であり、その詳細な説明を省略する。
本実施形態のアタッチメント１０は、一対のアーム部６５を設け、アーム部６５の中間位置に回動軸７２を設け、一対のアーム部６５が回動軸７２を中心にして、両方のアーム部６５が左右対称形状になるよう形成されている。一対のアーム部６５は、回動軸７２を介して、上方側が先端に封止板７０を備えた封止アーム６６，下方側が回転軸７２から押圧板６９に向かって湾曲する押圧アーム６７として形成されている。そして、また、一対のアーム部６５の封止アーム６６の後端側には係止溝７５、押圧アーム６７の後端側（上端側）には貫通孔７６がそれぞれ形成され、回動軸７２を取り囲むようにＣ形状の戻しバネ７３が貫通し、係止させている。
【００２６】
また、封止部３は、一対の封止アーム６６と、その先端部に設けられた矩形形状の封止板７０によって構成され、押圧部４は、一対の押圧アーム６７と、その先端部に設けられた円形形状の押圧板６９で構成され、この押圧板６９がパウチ５０のフィルム面に位置するように形成している。
そして、アタッチメント１０の待機時には、戻しバネ７３の付勢によって、一対のアーム部６５の封止アーム６６が封止部３を閉じ、同時に押圧アームが押圧部４を開く。一方、パウチ５０の注出部５２から内容物を注出する際は、前記戻しバネ７３に抗して一対のアーム部６５の押圧アーム６７を互いに近づけるように把持し、押圧板６９を閉じると、封止アーム６６が開き、封止板７０が離れ、封止を解除する。
このように、本実施形態のアタッチメント１０によれば、封止部３と押圧部４の開閉操作とパウチ５０の把持も同時に行うことができ、より一層、その操作を容易に行うことができる。
【００２７】
以上、本発明のパウチ用アタッチメントの実施形態を、図１示すパウチ５０のサイドシール部５１に装着する事例に基づいて説明したが、図１１に示すように、パウチ５０のサイドシール部５１を折り返した折返し部５４を設け、剛性、把持性等を向上させた形態のパウチの折返し部５４に装着することより、より一層装着状態が安定する。
本発明のパウチ用アタッチメントが適用されるパウチ５０においては、パウチ５０の収納部にある自己閉塞を解除する押圧ポイントを押圧部４により押圧できるので、自己閉塞を解除して内容物を効率よく、確実に注出を行うことができる。
【００２８】
本発明を前述した実施形態に基づいて説明したが、本発明は上記実施形態に限定されるものではなく、本発明の範囲を逸脱することなく、更に他の変形あるいは変更が可能である。
【符号の説明】
【００２９】
１，１０  アタッチメント
２  装着部
３  封止部
４  押圧部
５  装着ブロック
６，７  壁板
８  装着溝
９  細溝
１２  揺動アーム
１３  押圧板
１４  揺動軸
１５  軸受
１６  コイルバネ
１９  揺動封止部
２０  揺動押圧部
２５  ガイドアーム部
２７  回動軸
２８，２９  ガイドアーム
３０  プッシュ板
５０  パウチ
５１  サイドシール部
５２  注出部
５４  折返し部
６５  アーム部
６６  封止アーム
６７  押圧アーム
６９  押圧板
７０  封止板
７３  戻しバネ
【図１】
0006446865.tif 000002
【図２】
0006446865.tif 000003
【図３】
0006446865.tif 000004
【図４】
0006446865.tif 000005
【図５】
0006446865.tif 000006
【図６】
0006446865.tif 000007
【図７】
0006446865.tif 000008
【図８】
0006446865.tif 000009
【図９】
0006446865.tif 000010
【図１０】
0006446865.tif 000011